(57)【要約】【課題】  運搬中、輸送中に収納物の先端で収納箱の外蓋が破損する可能性を著しく低減させることができる。【解決手段】  穿設孔（２）を有する押さえ蓋（３）と、前記押さえ蓋（３）に連接し折り曲げ可能な左右のサイドフラップ（４ｂ，４ｃ）を備える内蓋（６）を有する収納箱（２０）を用いる。収納する際は収納物粘稠体又は液体内蔵カートリッジ（８）のノズル（９）の先を穿設孔（２）から突出させる。内蓋（６）は本体（１０）の外蓋（７）を支承可能で、且つ外蓋（７）の自重による圧接で安定して固定される。粘稠体又は液体内蔵カートリッジ（８）は内蓋（６）、及び内蓋（６）が外蓋（７）で押圧されることで上下の揺動が抑制される。【選択図】  図１
2019214424.tif 000002
【特許請求の範囲】
【請求項１】
穿設孔（２）を有する押さえ蓋（３）と、前記押さえ蓋（３）に連接し折り曲げ可能な左右のサイドフラップ（４ｂ，４ｃ）を備える内蓋（６）を有することを特徴とする収納箱（２０）。
【請求項２】
前記内蓋（６）の左右のサイドフラップ（４ｂ，４ｃ）は、本体（１０）方向に向かって切欠部（５）を有することを特徴とする請求項１記載の収納箱（２０）。
【請求項３】
前記内蓋（６）の左右のサイドフラップ（４ｂ，４ｃ）は、収納物の収納時に、前記収納箱（２０）の本体（１０）側面に当接され、前記内蓋（６）は本体（１０）の外蓋（７）を支承可能とされたことを特徴とする請求項１又は２記載の収納箱（２０）。
【請求項４】
粘稠体又は液体内蔵カートリッジ用である請求項１〜３いずれか１項記載の収納箱（２０）。
【請求項５】
前記粘稠体又は液体が接着剤である請求項４項記載の収納箱（２０）。
【請求項６】
前記粘稠体又は液体がシーリング剤である請求項４項記載の収納箱（２０）。
【請求項７】
粘稠体又は液体内蔵カートリッジの収納構造であって、穿設孔（２）を有する押さえ蓋（３）と、前記押さえ蓋（３）に連接し折り曲げ可能な左右のサイドフラップ（４ｂ，４ｃ）を備える内蓋（６）と、外蓋（７）を備える収納箱に、前記穿設孔（２）から前記粘稠体又は液体内蔵カートリッジ（８）のノズル（９）が突出していることを特徴とする粘稠体又は液体内蔵カートリッジの収納構造。
【請求項８】
前記内蓋（６）の左右のサイドフラップ（４ｂ，４ｃ）は、本体（１０）方向に向かって切欠部（５）を有することを特徴とする請求項７記載の粘稠体又は液体内蔵カートリッジの収納構造。
【請求項９】
前記内蓋（６）は前記外蓋（７）を支承可能とされていることを特徴とする請求項７又は８記載の粘稠体又は液体内蔵カートリッジの収納構造。
【請求項１０】
前記粘稠体又は液体が接着剤である請求項７〜９いずれか１項記載の粘稠体又は液体内蔵カートリッジの収納構造。
【請求項１１】
前記粘稠体又は液体がシーリング剤である請求項７〜９いずれか１項記載の粘稠体又は液体内蔵カートリッジの収納構造。
【発明の詳細な説明】
【技術分野】
【０００１】
本発明は収納箱及びその収納構造に関する。
【背景技術】
【０００２】
従来、図７に示すように接着剤内蔵カートリッジ（８）があり、円錐形のノズル（９）と円筒形のカートリッジ本体等からなり、カートリッジには接着剤が充填されている。この接着剤内蔵カートリッジを納める箱は図８に示されるように穿設孔（２´）を有する押さえ蓋（３´）を有する内蓋（６´）と外蓋（７´）を有する収納箱（２０´）が考えられる。
【先行技術文献】
【特許文献】
【０００３】
【特許文献１】特開２００１−３１５７５２号公報
【発明の開示】
【発明が解決しようとする課題】
【０００４】
しかしながら、従来の収納箱（２０´）では、運搬中、輸送中に振動等により接着剤内蔵カートリッジのノズルの先端が外蓋を突き破る可能性があった。
本発明はかかる状況に鑑みなされたものであり、収納物を押さえ、先端で外蓋が破損する可能性を著しく低減させることができる収納箱を提供することを目的とする。
【課題を解決するための手段】
【０００５】
すなわち、穿設孔（２）を有する押さえ蓋（３）と、前記押さえ蓋（３）に連接し折り曲げ可能な左右のサイドフラップ（４ｂ，４ｃ）を備える内蓋（６）を有することを特徴とする収納箱（２０）を用いることにより前記の課題を解決することができる。
【発明の効果】
【０００６】
本発明によれば、運搬、輸送中に収納物が収納箱内で上下左右、特に上下の動きを抑制でき、先端で収納箱の外蓋が破損する可能性を著しく低減させることができる。しかも内蓋（６）には外フラップ（４ａ）に加えて左右のサイドフラップ（４ｂ，４ｃ）を備えているため従来の外フラップのみの収納箱に比べて三方のフラップで外蓋（７）を支承し、且つ外蓋（７）の自重により圧接されているため収納物が一層安定して収納される。
【図面の簡単な説明】
【０００７】
【図１】本発明の収納箱の展開平面図。
【図２】本発明の収納箱の内蓋の折り目箇所を示す展開平面図。
【図３】本発明の収納箱の組み立て方法を示す斜視写真。
【図４】接着剤内蔵カートリッジを納めた状態を示す斜視写真。
【図５】接着剤内蔵カートリッジを納め、内蓋で押さえた状態を示す斜視写真。
【図６】他の実施例を示す内蓋の展開平面図。
【図７】接着剤内蔵カートリッジの正面写真。
【図８】従来の収納箱の展開平面図。
【図９】本発明の収納箱の展開平面図（変形例）。
【発明を実施するための最良の形態】
【０００８】
以下、本発明を粘稠体又は液体として接着剤を内蔵したカートリッジ用の収納箱として図面に基づいて詳細説明するが、特にこれに限定するものではない。尚、本発明では粘稠体とはペースト状の流動性或いはチクソトロピー性を有する物質をいう。図１は本発明の収納箱（２０）の展開平面図であり、内蓋（６）と本体（１０）とから構成され、本体（１０）は差込フラップ（７１）を備える上蓋（７ａ）と側蓋（７ｂ，７ｃ）とからなる外蓋（７）を備えている。
【０００９】
内蓋（６）は、穿設孔（２）を有する押さえ蓋（３）と、押さえ蓋（３）に連接し折り曲げ可能な左右のサイドフラップ（４ｂ，４ｃ）と、垂直方向に外フラップ（４ａ）と内フラップ（４ｄ）とが押さえ蓋（３）連接され、外フラップ（４ａ）、内フラップ（４ｄ）は折り曲げが可能であり、内フラップ（４ｄ）は本体（１０）と連接している。
【００１０】
押さえ蓋（３）に形成された穿設孔（２）は接着剤内蔵カートリッジ（８）の円錐形のノズル（９）を突出させ、運搬、輸送中の振動により上下左右、特に上下に激しく揺動することを抑制する。
【００１１】
内蓋（６）の左右のサイドフラップ（４ｂ、４ｃ）は、内蓋（６）の上下の揺動を抑制する機能を有している。更に左右のサイドフラップ（４ｂ、４ｃ）に、途中から内フラップ（４ｄ）に向かって鈍角で裁断された切欠部（５）を有することにより、内蓋（６）が本体（１０）に嵌め込みやすく、嵌め外しも容易なものとなっている。
【００１２】
図２は内蓋（６）の折り目箇所を示す展開平面図であり、収納箱（２０）を組み立てる際は、内蓋（６）の内フラップ（４ｄ）と本体（１０）の境界Ｓ線で外側に折り曲げ（山折り）、押さえ蓋（３）と内フラップ（４ｄ）の境界Ｔ線で内側に折り曲げ（谷折り）、押さえ蓋（３）と外フラップ（４ａ）の境界Ｕ線で内側に折り曲げ（谷折り）、押さえ蓋（３）と左右のサイドフラップ（４ｂ、４ｃ）の境界Ｖ線、境界Ｗ線で内側に折り曲げ（谷折り）る。
【００１３】
図３は収納箱（２０）を組み立てた斜視写真である。
【００１４】
図４は組み立てて形成された空所に接着剤内蔵カートリッジ（８）を収めた斜視写真である。
【００１５】
図５は収納箱（２０）に接着剤内蔵カートリッジ（８）を収めた状態を示し、押さえ蓋（３）の穿設孔（２）から接着剤内蔵カートリッジ（８）の円錐形のノズル（９）の先が突出し、上下の揺動を抑制している。
【００１６】
内蓋（６）の左右のサイドフラップ（４ｂ、４ｃ）は本体の側面に当接し、外フラップ（４ａ）、内フラップ（４ｄ）も本体の側面に当接し、本体（１０）の上蓋（７ａ）と側蓋（７ｂ，７ｃ）からなる外蓋（７）を閉じた時、内蓋（６）の上下の揺動を抑制するものとなっている。
【００１７】
すなわち、接着剤内蔵カートリッジ（８）は押さえ蓋（３）の穿設孔（２）により上下の揺動を抑制され、更に内蓋（６）も外蓋（７）で圧接され、上下の揺動を抑制されるといった二重の方法で接着剤内蔵カートリッジ（８）の上下の揺動による外蓋（７）の破損を防ぐものとなっている。
【００１８】
しかも、内蓋（６）は三方のフラップで外蓋（７）を支承可能で、且つ外蓋（７）の自重により圧接されているため収納箱内で安定して固定され、更に外蓋（７）の上部に圧力が加わっても内蓋（６）に支承により潰れにくいものとなっている。
【００１９】
外蓋（７）を閉じる際は、側蓋（７ｂ）、側蓋（７ｃ）を内側に折り曲げ、上蓋（７ａ）を折り曲げて、差込フラップ（７１）を挿入する。
【００２０】
以上の実施例では左右のサイドフラップの切欠部は鈍角に裁断されているが図６に示すような円弧状の切欠部であっても良い。
【００２１】
図７は接着剤内蔵カートリッジ（８）の正面写真であり、円錐形のノズル（９）を備えている。
【００２２】
また、本発明においては、接着剤内蔵カートリッジ（８）を収納する本数に応じて、上記実施例を適宜、変形することもできる。例えば、図９は、接着剤内蔵カートリッジ（８）を２本収納する際の収納箱（２０ａ）の展開平面図である。
【産業上の利用可能性】
【００２３】
本発明では接着剤内蔵カートリッジ用の収納箱として説明したが、シーリング内蔵カートリッジ用としても充分利用でき、更にネック部を有する容器、或いは先細りの容器、例えばノズル付きのアルミパック等の口径の合わせて押さえ蓋（３）の穿設孔（２）の大きさを適宜調整することで、粘稠体又は液体の容器の収納箱として大いに利用が可能である。日用品ではアルコール飲料、マヨネーズ、ケチャップ等の収納箱としても利用できる。
【符号の説明】
【００２４】
２    穿設孔
３    押さえ蓋
４ａ  外フラップ
４ｂ  左側サイドフラップ
４ｃ  右側サイドフラップ
４ｄ  内フラップ
５    切欠部
５ａ  切欠部
６    内蓋
６ａ  内蓋
７    外蓋
７ａ  上蓋
７ｂ  側蓋
７ｃ  側蓋
７１  差込フラップ
８    接着剤内蔵カートリッジ
９    ノズル
１０  本体
２０  収納箱
２０ａ  収納箱
３´  押さえ蓋
４ａ´  外フラップ
４ｄ´  内フラップ
６´  内蓋
７´  外蓋
７ａ´  上蓋
７ｂ´  側蓋
７ｃ´  側蓋
７１´  差込フラップ
１０´  本体
２０´  従来の収納箱  
【図１】
2019214424.tif 000003
【図２】
2019214424.tif 000004
【図３】
2019214424.tif 000005
【図４】
2019214424.tif 000006
【図５】
2019214424.tif 000007
【図６】
2019214424.tif 000008
【図７】
2019214424.tif 000009
【図８】
2019214424.tif 000010
【図９】
2019214424.tif 000011